(57)【要約】      （修正有）【課題】ダンパー歯車にラジアル方向の大きな負荷が加わっても、歯車軸の芯振れを軽減して、蓋体の開閉動作を安定させて良好に制動できる蓋開閉装置を提供する。【解決手段】楽器ケース１と、この楽器ケース１に支持軸１２によって回転可能に取り付けられた鍵盤蓋８と、支持軸１２を中心に鍵盤蓋８と共に回転する連動歯車１３と、この連動歯車１３に噛み合って回転するダンパー歯車１７が取り付けられた歯車軸１５を有して連動歯車１３の回転を制動するダンパー部材１４とを備え、このダンパー部材１４における歯車軸１５の両端部のうち、少なくともダンパー部材１４の外部に突出した自由端である外端部を軸支持部材１６によって回転可能に支持し、鍵盤蓋８の開閉操作に伴って回転する連動歯車１３にダンパー歯車１７が噛み合って回転する際に、ダンパー歯車１７にラジアル方向の大きな負荷が加わっても、歯車軸１５の芯振れを軽減できる。【選択図】図２
2012078713.tif 000002
【特許請求の範囲】
【請求項１】
ケースと、このケースに支持軸によって回転可能に取り付けられた蓋体と、前記支持軸を中心に前記蓋体と共に回転する連動歯車と、この連動歯車に噛み合って回転するダンパー歯車が取り付けられた歯車軸を有して前記連動歯車の回転を制動するダンパー部材とを備えた蓋開閉装置において、
前記ダンパー部材における前記歯車軸の両端部のうち、少なくとも前記ダンパー部材の外部に突出した自由端を回転可能に支持する軸支持部材を備えていることを特徴とする蓋開閉装置。
【請求項２】
前記軸支持部材は、前記蓋体と共に回転する前記連動歯車に設けられ、前記ダンパー部材に一端部が回転可能に支持された前記歯車軸の他端部である前記自由端を回転可能に支持することを特徴とする請求項１に記載の蓋開閉装置。
【請求項３】
前記軸支持部材は、前記歯車軸の前記自由端が前記連動歯車の回転に応じて相対的に移動するガイド溝を有していることを特徴とする請求項２に記載の蓋開閉装置。
【請求項４】
前記ガイド溝は、前記連動歯車の回転中心である前記支持軸を中心とする円弧状に形成されていることを特徴とする請求項３に記載の蓋開閉装置。
【請求項５】
前記軸支持部材は、前記ダンパー部材と共に前記ケースに対して固定され、前記ダンパー部材に一端部が回転可能に支持された前記歯車軸の他端部である前記自由端を回転可能に支持することを特徴とする請求項１に記載の蓋開閉装置。
【請求項６】
前記軸支持部材は、前記ケースに対して固定され、前記ダンパー部材の外部に突出した前記歯車軸の前記自由端である両端部を回転可能に支持することを特徴とする請求項１に記載の蓋開閉装置。
【発明の詳細な説明】
【技術分野】
【０００１】
この発明は、電子ピアノや電子オルガンなどの鍵盤楽器または音響機器などに用いられる蓋開閉装置に関する。
【背景技術】
【０００２】
従来、蓋開閉装置においては、特許文献１に記載されているように、ケースに蓋体を支持軸によって回転可能に取り付け、この蓋体に支持軸を中心に回転する連動歯車を設け、この連動歯車に噛み合って回転するダンパー歯車を有するダンパー部材を連動歯車の外周に沿って移動可能に取り付けた構成のものが知られている。
【先行技術文献】
【特許文献】
【０００３】
【特許文献１】特開平０６−３３９７２号公報
【０００４】
この種の蓋開閉装置は、蓋体を開閉する際に、その初期状態からダンパー部材が蓋体の回転に伴って連動歯車の外周に沿って移動することにより、ダンパー部材のダンパー機能を不能にし、その後ダンパー部材の移動を阻止して蓋体に対するダンパー機能を発揮させるように構成されている。
【発明の概要】
【発明が解決しようとする課題】
【０００５】
しかしながら、このような従来の蓋開閉装置では、ダンパー歯車が取り付けられる歯車軸がダンパー部材に片持ち状態で支持され、このダンパー部材の外部に突出した歯車軸の先端部が自由状態であり、この自由状態の歯車軸の先端部にダンパー歯車を取り付けた構成であるから、ダンパー歯車に連動歯車が噛み合って回転する際に、蓋体によってダンパー歯車にラジアル方向の大きな負荷が加わると、歯車軸の先端部が芯振れを起こすため、蓋体の開閉動作が不安定になり、蓋体の開閉動作を安定させて良好に制動することができないという問題がある。
【０００６】
この発明が解決しようとする課題は、ダンパー歯車にラジアル方向の大きな負荷が加わっても、歯車軸の芯振れを軽減して、蓋体の開閉動作を安定させて良好に制動することができる蓋開閉装置を提供することである。
【課題を解決するための手段】
【０００７】
この発明は、上記課題を解決するために、次のような構成要素を備えている。
請求項１に記載の発明は、ケースと、このケースに支持軸によって回転可能に取り付けられた蓋体と、前記支持軸を中心に前記蓋体と共に回転する連動歯車と、この連動歯車に噛み合って回転するダンパー歯車が取り付けられた歯車軸を有して前記連動歯車の回転を制動するダンパー部材とを備えた蓋開閉装置において、前記ダンパー部材における前記歯車軸の両端部のうち、少なくとも前記ダンパー部材の外部に突出した自由端を回転可能に支持する軸支持部材を備えていることを特徴とする蓋開閉装置である。
【０００８】
請求項２に記載の発明は、前記軸支持部材が、前記蓋体と共に回転する前記連動歯車に設けられ、前記ダンパー部材に一端部が回転可能に支持された前記歯車軸の他端部である前記自由端を回転可能に支持することを特徴とする請求項１に記載の蓋開閉装置である。
【０００９】
請求項３に記載の発明は、前記軸支持部材が、前記歯車軸の前記自由端を前記連動歯車の回転に応じて相対的に移動させるガイド溝を有していることを特徴とする請求項２に記載の蓋開閉装置である。
【００１０】
請求項４に記載の発明は、前記ガイド溝が、前記連動歯車の回転中心である前記支持軸を中心とする円弧状に形成されていることを特徴とする請求項３に記載の蓋開閉装置である。
【００１１】
請求項５に記載の発明は、前記軸支持部材が、前記ダンパー部材と共に前記ケースに対して固定され、前記ダンパー部材に一端部が回転可能に支持された前記歯車軸の他端部である前記自由端を回転可能に支持することを特徴とする請求項１に記載の蓋開閉装置である。
【００１２】
請求項６に記載の発明は、前記軸支持部材が、前記ケースに対して固定され、前記ダンパー部材の外部に突出した前記歯車軸の自由端である両端部を回転可能に支持することを特徴とする請求項１に記載の蓋開閉装置である。
【発明の効果】
【００１３】
この発明によれば、蓋体の開閉操作に伴う連動歯車にダンパー歯車が噛み合って回転する際に、ダンパー部材の外部に突出した歯車軸の自由端を軸支持部材が回転可能に支持した状態で、歯車軸をダンパー歯車と共に良好に回転させることができる。このため、ダンパー歯車にラジアル方向の大きな負荷が加わっても、軸支持部材によって歯車軸の芯振れを軽減することができ、これにより蓋体の開閉動作を安定させることができると共に、ダンパー部材によって蓋体の開閉動作を良好に制動することができる。
【図面の簡単な説明】
【００１４】
【図１】この発明を鍵盤楽器に適用した実施形態１を示した断面図である。
【図２】図１に示された鍵盤楽器の要部を示した拡大断面図である。
【図３】図２に示された蓋開閉装置のＡ−Ａ矢視における拡大断面図である。
【図４】図２に示された蓋開閉装置における要部を示した拡大正面図である。
【図５】図４に示された蓋開閉装置における連動歯車と軸支持部材とを分解して示した拡大正面図である。
【図６】図２に示された蓋開閉装置におけるダンパー部材を示し、（ａ）はその拡大正面図、（ｂ）はその拡大側面図である。
【図７】図１に示された鍵盤楽器において鍵盤蓋を所定角度に開いた状態を示した断面図である。
【図８】図７に示された鍵盤楽器において鍵盤蓋を完全に開いた状態を示した断面図である。
【図９】この発明を鍵盤楽器に適用した実施形態２を示した要部の拡大断面図である。
【図１０】図９に示された蓋開閉装置のＢ−Ｂ矢視における拡大断面図である。
【図１１】図１０に示された蓋開閉装置におけるダンパー部材と軸支持部材とを示し、（ａ）はその拡大正面図、（ｂ）はそのＣ−Ｃ矢視における拡大断面図である。
【図１２】この発明を鍵盤楽器に適用した実施形態３において蓋開閉装置の要部を示した拡大断面図である。
【図１３】図１２に示された蓋開閉装置におけるダンパー部材を示し、（ａ）はその拡大正面図、（ｂ）はそのＤ−Ｄ矢視における拡大断面図である。
【図１４】図１２に示された蓋開閉装置のＥ−Ｅ矢視における拡大断面図である。
【発明を実施するための形態】
【００１５】
（実施形態１）
以下、図１〜図８を参照して、この発明を鍵盤楽器に適用した実施形態１について説明する。
この鍵盤楽器は、図１に示すように、楽器ケース１を備えている。この楽器ケース１は、脚部を兼ねる一対の側板２と、この一対の側板２間における上部側に設けられた棚板である底板３と、この底板３の前端部（図１では左端部）上に起立して設けられた前板４と、底板３の後端部（図１では右端部）上に起立して設けられた後板５とを備えている。
【００１６】
これにより、楽器ケース１は、上部が開放された箱形状に形成されている。この楽器ケース１の内部には、図１に示すように、鍵盤部６が設けられている。この鍵盤部６は、白鍵７ａおよび黒鍵７ｂを備え、これら白鍵７ａおよび黒鍵７ｂを鍵盤シャーシ（図示せず）上に上下方向に回転可能に取り付けた状態で多数配列した構成になっている。
【００１７】
また、この楽器ケース１の上部には、図１および図２に示すように、鍵盤部６を開閉自在に覆う鍵盤蓋８が蓋開閉装置１０によって開閉可能に設けられている。この鍵盤蓋８は、蓋開閉装置１０によって上下方向に回転することにより、楽器ケース１を閉じた際に、楽器ケース１の上部に配置されて鍵盤部６を覆い隠し、図８に示すように、楽器ケース１を開いた際に、楽器ケース１の後方（図８では右側）に少し傾いた状態で起立して、鍵盤部６を楽器ケース１の上方に露出させるように構成されている。
【００１８】
この鍵盤蓋８の蓋開閉装置１０は、図１〜図３に示すように、鍵盤蓋８の下面に取り付けられたアーム部材１１と、このアーム部材１１に取り付けられて楽器ケース１内における側板２に回転自在に取り付けられた支持軸１２と、このアーム部材１１に取り付けられて支持軸１２を中心に鍵盤蓋８と共に回転する連動歯車１３と、楽器ケース１の側板２の内面に取り付けられて鍵盤蓋８の開閉動作を制動するダンパー部材１４と、このダンパー部材１４の歯車軸１５の自由端である外端部１５ａを支持する軸支持部材１６とを備えている。
【００１９】
これにより、鍵盤蓋８は、図１〜図３に示すように、支持軸１２を中心に、アーム部材１１と共に上下方向に回転するように構成されている。この場合、アーム部材１１は、図２に示すように、鍵盤蓋８の下面における後部（図２では右側部）に取り付けられて、楽器ケース１内の後部に上方から挿入するように構成されている。
【００２０】
支持軸１２は、図１〜図３に示すように、楽器ケース１の一対の側板２における後部（図２では右側部）に位置する箇所にそれぞれ楽器ケース１の内部に向けて突出した状態で取り付けられている。この支持軸１２は、図３に示すように、楽器ケース１内に挿入されたアーム部材１１の下部が回転自在に取り付けられ、これによりアーム部材１１が鍵盤蓋８と共に回転するように構成されている。
【００２１】
連動歯車１３は、図１〜図３に示すように、支持軸１２を中心にアーム部材１１が鍵盤蓋８と共に回転する際に、鍵盤蓋８の開閉動作をダンパー部材１４に伝達するように構成されている。すなわち、この連動歯車１３は、図２〜図４に示すように、全体がほぼ扇形状に形成され、その外周面に歯部１３ａが設けられ、この状態でビス１１ａによってアーム部材１１に取り付けられていることにより、支持軸１２を中心にアーム部材１１と共に回転するように構成されている。
【００２２】
ダンパー部材１４は、図１〜図３に示すように、ロータリーダンパーであり、連動歯車１３に噛み合うダンパー歯車１７と、このダンパー歯車１７が取り付けられてダンパー歯車１７と共に回転する歯車軸１５とを備えている。すなわち、このダンパー部材１４は、図６（ａ）および図６（ｂ）に示すように、ハウジング１４ａ内に歯車軸１５が回転可能に設けられ、この歯車軸１５にオイルや摩擦部材（いずれも図示せず）によって負荷を加えることにより、ダンパー歯車１７の回転を制動する制動機能を有するように構成されている。
【００２３】
この場合、ダンパー部材１４は、図４に示すように、歯車軸１５の端部がハウジング１４ａ内から外部に突出し、この突出した歯車軸１５の箇所にダンパー歯車１７が取り付けられて歯車軸１５と共に回転するように構成されている。また、このダンパー部材１４は、図３に示すように、ハウジング１４ａが楽器ケース１の側板２の内面にビス１８によって取り付けられている。
【００２４】
ダンパー歯車１７は、図３および図４に示すように、連動歯車１３の歯部１３ａに噛み合って歯車軸１５を中心に回転するように構成されている。この場合、歯車軸１５は、ハウジング１４ａ内に位置する一端部である内端部１５ｂがハウジング１４ａ内に回転可能に支持された片持ち状態に構成されている。これにより、ダンパー部材１４は、鍵盤蓋８が支持軸１２を中心に回転して開閉する際に、連動歯車１３が支持軸１２を中心に回転することにより、ダンパー歯車１７が連動歯車１３の歯部１３ａに噛み合って回転するように構成されている。
【００２５】
また、軸支持部材１６は、図３〜図５に示すように、連動歯車１３に取り付けられてダンパー部材１４の外部に突出した歯車軸１５の自由端である外端部１５ａを回転可能に支持するように構成されている。すなわち、この軸支持部材１６は、図３〜図５に示すように、ほぼ円弧状の平板状に形成され、その両端部に設けられた一対の取付突起部１６ａが連動歯車１３の一面、つまり歯車軸１５の外端部１５ａが位置する内面（図３では右側面）にビス１９によって取り付けられている。
【００２６】
この場合、取付突起部１６ａは、図３に示すように、軸支持部材１６がダンパー部材１４のダンパー歯車１７に接触しないように、連動歯車１３の内面（図３では右側面）から離れる方向に向けて階段状に折り曲げられている。また、この軸支持部材１６には、図４および図５に示すように、ダンパー部材１４の歯車軸１５の自由端である外端部１５ａを回転可能に支持してガイドするガイド溝２０が連動歯車１３の歯部１３ａに沿って設けられている。
【００２７】
すなわち、このガイド溝２０は、図３〜図５に示すように、連動歯車１３の歯部１３ａから外周側に向けてダンパー歯車１７の半径の距離だけ離れた位置において、連動歯車１３の回転中心である支持軸１２を中心とする円弧状に形成されている。この場合、ガイド溝２０は、その円弧方向の長さが連動歯車１３の歯部１３ａとほぼ同じ長さに形成されている。また、このガイド溝２０は、その溝幅がダンパー歯車１７の歯車軸１５とほぼ同じ大きさで形成されている。
【００２８】
これにより、ダンパー歯車１７は、図３および図４に示すように、歯車軸１５の内端部１５ｂがダンパー部材１４のハウジング１４ａ内に回転可能に支持された状態で、ハウジング１４ａの外部に突出した歯車軸１５の他端部の自由端である外端部１５ａが軸支持部材１６のガイド溝２０内に移動可能に挿入され、この状態で歯車軸１５の外端部１５ａが鍵盤蓋８の開閉動作に応じてガイド溝２０内を回転しながら相対的に移動するように構成されている。
【００２９】
次に、この鍵盤蓋８の蓋開閉装置１０の作用について説明する。
鍵盤蓋８を開いた状態から閉じる場合には、図８に示すように、鍵盤蓋８の先端部（図８では上端部）を手前側（図８では左側）に引き寄せる。すると、図７に示すように、鍵盤蓋８がアーム部材１１の支持軸１２を中心に反時計回りに回転し、アーム部材１１に設けられた連動歯車１３も、鍵盤蓋８と共に支持軸１２を中心に反時計回りに回転する。
【００３０】
このときには、連動歯車１３の歯部１３ａがダンパー部材１４のダンパー歯車１７に噛み合っているため、連動歯車１３の回転に伴ってダンパー部材１４のダンパー歯車１７が歯車軸１５と共に時計回りに回転する。このようにダンパー歯車１７が回転するときには、ダンパー部材１４によって連動歯車１３に負荷が加わることにより、連動歯車１３の回転が制動される。このため、鍵盤蓋８が閉じる方向に急激に回転することがなく、ゆっくり回転する。
【００３１】
また、このようにダンパー歯車１７が歯車軸１５と共に回転するときには、図７に示すように、歯車軸１５の外端部１５ａが連動歯車１３に取り付けられた軸支持部材１６によって支持された状態で、軸支持部材１６のガイド溝２０内を相対的に移動する。すなわち、ダンパー歯車１７が連動歯車１３の歯部１３ａに噛み合って回転する際には、連動歯車１３の回転に伴って軸支持部材１６が支持軸１２を中心に回転することにより、軸支持部材１６のガイド溝２０が反時計回りに上側から下側に向けて回転移動する。
【００３２】
このときには、歯車軸１５は、その内端部１５ｂがダンパー部材１４に回転可能に支持された状態で、楽器ケース１に対して固定されている。このため、図７および図８に示すように、歯車軸１５は移動せずに、ダンパー部材１４から外部に突出した歯車軸１５の自由端である外端部１５ａが軸支持部材１６のガイド溝２０内に支持された状態で、ガイド溝２０内を相対的に下側から上側に向けて移動する。
【００３３】
これにより、ダンパー歯車１７の歯車軸１５は、その一端部である内端部１５ｂがダンパー部材１４に回転可能に支持され、他端部の自由端である外端部１５ａが軸支持部材１６によって回転移動可能に支持され、この状態でダンパー歯車１７と共に回転するので、鍵盤蓋８を閉じる際に、ダンパー歯車１７にラジアル方向の大きな負荷が加わっても、歯車軸１５の芯振れが軽減される。このため、鍵盤蓋８の開閉動作が安定すると共に、ダンパー部材１４によって鍵盤蓋８の開閉動作が良好に制動される。
【００３４】
そして、鍵盤蓋８が更に回転して開くと、図１および図２に示すように、アーム部材１１が支持軸１２を中心に更に反時計回りに回転し、これに伴って連動歯車１３および軸支持部材１６が、支持軸１２を中心に反時計回りに回転する。これにより、ダンパー部材１４のダンパー歯車１７が歯車軸１５を中心に回転するので、ダンパー部材１４によって連動歯車１３に負荷が加わり、連動歯車１３の回転が制動されると共に、鍵盤蓋８の閉じる方向への動作が制動される。
【００３５】
このときにも、歯車軸１５は移動せずに、軸支持部材１６の反時計回り方向の回転に伴ってガイド溝２０が上側から下側に向けて回転移動するので、歯車軸１５の外端部１５ａが連動歯車１３と共に軸支持部材１６のガイド溝２０内に支持された状態で、ガイド溝２０内を相対的に下側から上側に向けて移動し、図１および図２に示すように、ガイド溝２０の上端部に位置する。これにより、鍵盤蓋８は急激に閉じることがなく、楽器ケース１の上部にゆっくり配置されて鍵盤部６を良好に覆う。
【００３６】
また、このように閉じた鍵盤蓋８を開く場合には、蓋開閉装置１０が上述した動作と逆の動作を行って、図８に示すように、鍵盤蓋８が楽器ケース１の後方に少し傾いた状態で起立する。このときには、アーム部材１１が支持軸１２を中心に時計回りに回転し、これに伴って連動歯車１３および軸支持部材１６が、支持軸１２を中心に時計回りに回転する。
【００３７】
これにより、ダンパー部材１４のダンパー歯車１７が歯車軸１５を中心に反時計回りに回転するので、ダンパー部材１４によって連動歯車１３に負荷が加わり、連動歯車１３の回転が制動されると共に、鍵盤蓋８の開く方向への動作が制動される。このため、鍵盤蓋８が開く方向にゆっくり回転する。
【００３８】
このときにも、歯車軸１５は移動せずに、軸支持部材１６の回転に伴ってガイド溝２０が回転移動するので、ダンパー部材１４から外部に突出した歯車軸１５の自由端である外端部１５ａが連動歯車１３と共に軸支持部材１６のガイド溝２０内に支持された状態で、ガイド溝２０内を相対的に上側から下側に向けて移動し、図７および図８に示すように、ガイド溝２０の下端部に位置する。これにより、鍵盤蓋８は楽器ケース１の後方に少し傾いた状態で起立し、鍵盤部６を開放する。
【００３９】
このように、この鍵盤蓋８の蓋開閉装置１０によれば、楽器ケース１と、この楽器ケース１に支持軸１２によって回転可能に取り付けられた鍵盤蓋８と、支持軸１２を中心に鍵盤蓋８と共に回転する連動歯車１３と、この連動歯車１３に噛み合って回転するダンパー歯車１７が取り付けられた歯車軸１５を有して連動歯車１３の回転を制動するダンパー部材１４とを備え、このダンパー部材１４における歯車軸１５の両端部のうち、ダンパー部材１４の外部に突出した自由端である外端部１５ａを軸支持部材１６によって回転可能に支持しているので、ダンパー歯車１７にラジアル方向の大きな負荷が加わっても、歯車軸１５の芯振れを軽減することができる。
【００４０】
すなわち、この鍵盤蓋８の蓋開閉装置１０では、鍵盤蓋８の開閉操作に伴う連動歯車１３にダンパー歯車１７が噛み合って回転する際に、軸支持部材１６によって歯車軸１５の自由端である外端部１５ａが回転可能に支持されているので、ダンパー歯車１７にラジアル方向の大きな負荷が加わっても、歯車軸１５の芯振れを軽減することができる。このため、ダンパー歯車１７を歯車軸１５によって良好に回転させることができるので、鍵盤蓋８の開閉動作を安定させることができると共に、ダンパー部材１４によって鍵盤蓋８の開閉動作を良好に制動することができる。これにより、鍵盤蓋８を開閉する際に、安全に鍵盤蓋８を開閉することができる。
【００４１】
この場合、軸支持部材１６は、鍵盤蓋８と共に回転する連動歯車１３に設けられ、ダンパー部材１４に一端部である内端部１５ｂが回転可能に支持された歯車軸１５の自由端である他端部の外端部１５ａを回転可能に支持しているので、連動歯車１３の歯部１３ａにダンパー歯車１７が噛み合った状態で、連動歯車１３が鍵盤蓋８と共に支持軸１２を中心に回転する際に、ダンパー歯車１７にラジアル方向の大きな負荷が加わっても、軸支持部材１６によって歯車軸１５の芯振れを良好に軽減することができ、これにより鍵盤蓋８の開閉動作を安定させて確実に且つ良好に制動することができる。
【００４２】
また、この軸支持部材１６は、歯車軸１５の自由端である外端部１５ａが連動歯車１３の回転に応じて相対的に移動するガイド溝２０を有していることにより、ダンパー歯車１７が連動歯車１３の歯部１３ａに噛み合って回転する際に、連動歯車１３の回転に伴って軸支持部材１６が支持軸１２を中心に回転しても、歯車軸１５の外端部１５ａを軸支持部材１６のガイド溝２０内で回転可能に支持した状態で相対的に移動させることができ、これにより鍵盤蓋８を開閉する際に、ダンパー歯車１７にラジアル方向の大きな負荷が加わっても、軸支持部材１６によって歯車軸１５の芯振れを軽減することができる。
【００４３】
さらに、このガイド溝２０は、連動歯車１３の回転中心である支持軸１２を中心とする円弧状に形成されていることにより、ダンパー歯車１７が連動歯車１３の歯部１３ａに噛み合って回転する際に、連動歯車１３の回転に伴って軸支持部材１６が支持軸１２を中心に回転しても、軸支持部材１６のガイド溝２０によって歯車軸１５の外端部１５ａを常に一定の状態で支持することができる。
【００４４】
これにより、鍵盤蓋８を開閉する際に、ダンパー歯車１７にラジアル方向の大きな負荷が加わっても、軸支持部材１６のガイド溝２０によって歯車軸１５の芯振れを良好に軽減することができるので、鍵盤蓋８の開閉動作を安定させることができると共に、ダンパー部材１４によって鍵盤蓋８の開閉動作を良好に制動することができる。
【００４５】
なお、上述した実施形態１では、ダンパー部材１４を連動歯車１３の側方、つまり支持軸１２に対してほぼ水平な方向に並列に配置して、連動歯車１３に対するほぼ垂直な接線方向において、連動歯車１３の歯部１３ａとダンパー部材１４のダンパー歯車１７とを噛み合わせた構成である場合について述べたが、これに限らず、例えばダンパー部材１４を連動歯車１３の下側、つまり支持軸１２に対してほぼ垂直な方向に縦列に配置した構成でも良い。
【００４６】
このように構成すれば、連動歯車１３に対するほぼ水平な接線方向において、連動歯車１３の歯部１３ａとダンパー部材１４のダンパー歯車１７とを噛み合わせることができる。このため、鍵盤蓋８によってダンパー歯車１７にラジアル方向の大きな負荷が加わっても、実施形態１よりも、軸支持部材１６のガイド溝２０によって歯車軸１５の芯振れを、より一層、確実に軽減することができる。
【００４７】
（実施形態２）
次に、図９〜図１１を参照して、この発明を鍵盤楽器に適用した実施形態２について説明する。なお、図１〜図８に示された実施形態１と同一部分には同一符号を付して説明する。
この鍵盤楽器は、図９および図１０に示すように、蓋開閉装置３０の軸支持部材３１が実施形態１と異なる構成であり、これ以外は実施形態１とほぼ同じ構成になっている。
【００４８】
この軸支持部材３１は、図９および図１０に示すように、楽器ケース１の側板２の内面に固定された状態で、ダンパー部材１４の外部に突出した歯車軸１５の自由端である外端部１５ａを回転可能に支持するように構成されている。この場合、軸支持部材３１は、金属板からなり、図１０および図１１に示すように、階段状に折り曲げられた構成になっている。
【００４９】
すなわち、この軸支持部材３１は、図１１（ａ）および図１１（ｂ）に示すように、楽器ケース１の側板２にビス３３によって取り付けられる取付片３１ａと、この取付片３１ａの端部からダンパー部材１４の上方に向けて立ち上がる起立片３１ｂと、この起立片３１ｂの上端部からダンパー部材１４の上方に沿って延びた支持片３１ｃとを有し、これらが階段状に折り曲げられた構成になっている。
【００５０】
この場合、支持片３１ｃには、図１１（ａ）および図１１（ｂ）に示すように、ダンパー部材１４の外部に突出した歯車軸１５の自由端である外端部１５ａを回転可能に支持する軸受け孔３２が設けられている。これにより、ダンパー部材１４の歯車軸１５は、その一端部である内端部１５ｂがダンパー部材１４のハウジング１４ａ内に回転可能に支持され、その他端部の自由端である外端部１５ａが楽器ケース１の側板２に固定された軸支持部材３１によって回転可能に支持された構成になっている。
【００５１】
このような鍵盤蓋８の蓋開閉装置３０によれば、軸支持部材３１が、ダンパー部材１４に一端部である内端部１５ｂが回転可能に支持された歯車軸１５の自由端である他端部の外端部１５ａを回転可能に支持しているので、実施形態１と同様、ダンパー歯車１７にラジアル方向の大きな負荷が加わっても、歯車軸１５の芯振れを防いで、鍵盤蓋８の開閉動作を安定させることができると共に、ダンパー部材１４によって鍵盤蓋８の開閉動作を良好に制動することができる。
【００５２】
すなわち、この蓋開閉装置３０においては、鍵盤蓋８の開閉操作に伴う連動歯車１３にダンパー歯車１７が噛み合って回転する際に、ダンパー部材１４によって歯車軸１５の一端部である内端部１５ｂが回転可能に支持され、軸支持部材３２によって歯車軸１５の他端部の自由端である外端部１５ａが回転可能に支持されているので、ダンパー歯車１７にラジアル方向の大きな負荷が加わっても、歯車軸１５の芯振れを確実に防ぐことができる。
【００５３】
このため、ダンパー歯車１７を歯車軸１５によって確実に且つ良好に回転させることができるので、鍵盤蓋８の開閉動作を安定させることができると共に、ダンパー部材１４によって鍵盤蓋８の開閉動作を良好に制動することができる。これにより、鍵盤蓋８を開閉する際に、安全に鍵盤蓋８を開閉することができる。
【００５４】
この場合、軸支持部材３１は、楽器ケース１の側板２に固定された状態で、歯車軸１５の自由端である外端部１５ａを回転可能に支持しているので、簡単な構造で、歯車軸１５の自由端である外端部１５ａを確実に支持することができ、これにより歯車軸１５の芯振れを確実に防ぐことができる。
【００５５】
このため、連動歯車１３が鍵盤蓋８と共に支持軸１２を中心に回転する際に、この連動歯車１３の歯部１３ａにダンパー歯車１７を確実に且つ良好に噛み合わせて、鍵盤蓋８の開閉動作に伴う連動歯車１３の回転を確実にダンパー歯車１７に伝達させることができると共に、鍵盤蓋８の開閉動作を、実施形態１よりも、安定した状態で確実に且つ良好に制動することができる。
【００５６】
なお、上述した実施形態２では、軸支持部材３１を楽器ケース１の側板２に直接取り付けた場合について述べたが、これに限らず、例えば軸支持部材３１をダンパー部材１４に取り付け、この状態でダンパー部材１４を軸支持部材３１と共に楽器ケース１の側板２に取り付けるように構成しても良い。このように構成しても、実施形態２と同様の作用効果があるほか、組立作業性の向上を図ることができる。
【００５７】
（実施形態３）
次に、図１２〜図１４を参照して、この発明を鍵盤楽器に適用した実施形態３について説明する。この場合にも、図１〜図８に示された実施形態１と同一部分には同一符号を付して説明する。
この鍵盤楽器は、図１２に示すように、蓋開閉装置３５のダンパー部材３６と軸支持部材３７が実施形態１と異なる構成であり、これ以外は実施形態１とほぼ同じ構成になっている。
【００５８】
このダンパー部材３６は、図１２〜図１４に示すように、ロータリーダンパーであり、連動歯車１３の歯部１３ａに噛み合って回転するダンパー歯車１７と、このダンパー歯車１７が取り付けられてダンパー歯車１７と共に回転する歯車軸３８と、この歯車軸３８を収容する一対のハウジング３６ａとを備えている。このダンパー部材３６は、歯車軸３８にばねや弾性部材などの摩擦抵抗を付与する摩擦部材（図示せず）によって負荷を加えることにより、ダンパー歯車１７の回転を制動するように構成されている。
【００５９】
この場合、ダンパー歯車１７は、図１２〜図１４に示すように、歯車軸３８に一体的に設けられている。このダンパー歯車１７は、その外周部の一部が一対のハウジング３６ａから外部に突出し、この突出した部分が連動歯車１３の歯部１３ａに噛み合って回転するように構成されている。また、一対のハウジング３６ａは、ダンパー歯車１７の外周側に突出した突出部３６ｃが軸支持部材３７に後述するねじ部材４５によって取り付けられるように構成されている。
【００６０】
この一対のハウジング３６ａには、図１２〜図１４に示すように、ダンパー部材３６の外部に突出した歯車軸３８の自由端である両端部３８ａが挿入する軸挿入孔３６ｂがそれぞれ設けられている。また、一対のハウジング３６ａにおけるダンパー歯車１７の外周側に突出した突出部３６ｃには、ねじ部材４５が挿入する取付孔３６ｄがそれぞれ設けられている。
【００６１】
一方、軸支持部材３７は、図１２〜図１４に示すように、ダンパー部材３６と共に楽器ケース１に対して固定されるように構成されている。すなわち、この軸支持部材３７は、図１２および図１４に示すように、一対の取付板３９、４０からなり、この一対の取付板３９、４０間にダンパー部材３６がねじ部材４５によって取り付けられるように構成されている。
【００６２】
この一対の取付板３９、４０は、図１２および図１４に示すように、それぞれ楽器ケース１の側板２にビス４１によって取り付けられる取付片３９ａ、４０ａと、この取付片３９ａ、４０ａの端部からダンパー部材３６の下部と上部とに向けて立ち上がる起立片３９ｂ、４０ｂと、この起立片３９ｂ、４０ｂの上端部からダンパー部材３６の下部と上部とに沿って延びた支持片３９ｃ、４０ｃとを有し、これらがそれぞれ階段状に折り曲げられた構成になっている。
【００６３】
この一対の取付板３９、４０における各支持片３９ｃ、４０ｃの互いに対向する箇所には、図１４に示すように、ダンパー部材３６における歯車軸３８の自由端である両端部３８ａをそれぞれ回転可能に支持する軸受け孔４２ａ、４２ｂがそれぞれ設けられている。また、この一対の取付板３９、４０における各支持片３９ｃ、４０ｃには、ねじ部材４５が挿入するねじ挿入孔４３ａ、４３ｂが、ダンパー歯車１７の外周側に突出したハウジング３６ａの突出部３６ｃの各取付孔３６ｄにそれぞれ対応して設けられている。
【００６４】
この場合、ねじ部材４５は、図１４に示すように、ダンパー部材３６におけるダンパー歯車１７の外周側に突出したハウジング３６ａの突出部３６ｃに設けられた取付孔３６ｄに挿入し、この状態でナット４５ａによって一対のハウジング３６ａを締め付けることにより、ダンパー部材３６が取り付けられるように構成されている。
【００６５】
また、このねじ部材４５は、図１４に示すように、その両端部を一対の取付板３９、４０の各ねじ挿入孔４３ａ、４３ｂに挿入させて、一対の取付板３９、４０間にダンパー部材３６を配置し、この状態でナット４５ａによって一対の取付板３９、４０を外側から締め付けることにより、一対の取付板３９、４０間にダンパー部材３６を取り付けるように構成されている。
【００６６】
このような鍵盤蓋８の蓋開閉装置３５によれば、ダンパー歯車１７が取り付けられてダンパー部材３６の外部に突出した歯車軸３８の自由端である両端部３８ａを回転可能に支持する軸支持部材３７を備えているので、実施形態１と同様、ダンパー歯車１７にラジアル方向の大きな負荷が加わっても、歯車軸３８の芯振れを防いで、鍵盤蓋８の開閉動作を安定させることができると共に、ダンパー部材３６によって鍵盤蓋８の開閉動作を良好に制動することができる。
【００６７】
すなわち、この蓋開閉装置３５においては、鍵盤蓋８の開閉操作に伴う連動歯車１３にダンパー歯車１７が噛み合って回転する際に、ダンパー部材３６によって歯車軸３８の自由端である両端部３８ａが軸支持部材３７によって回転可能に支持されているので、ダンパー歯車１７にラジアル方向の大きな負荷が加わっても、軸支持部材３７によって歯車軸３８の芯振れを確実に防ぐことができる。これにより、ダンパー歯車１７を歯車軸３８によって良好に回転させることができるので、鍵盤蓋８の開閉動作を安定させることができると共に、ダンパー部材３６によって鍵盤蓋８の開閉動作を良好に制動することができる。
【００６８】
この場合、軸支持部材３７は、楽器ケース１に対して固定された状態で、歯車軸３８の自由端である両端部３８ａを回転可能に支持しているので、連動歯車１３が鍵盤蓋８と共に支持軸１２を中心に回転する際に、歯車軸３８の芯振れを確実に防ぐことができる。このため、連動歯車１３の歯部１３ａにダンパー歯車１７を確実に且つ良好に噛み合わせて、鍵盤蓋８の開閉動作に伴う連動歯車１３の回転を確実にダンパー歯車１７に伝達させることができると共に、軸支持部材３７によって鍵盤蓋８の開閉動作を、実施形態１よりも、安定した状態で確実に且つ良好に制動することができる。
【００６９】
すなわち、軸支持部材３７は、楽器ケース１の側板２に固定される一対の取付板３９、４０を備え、この一対の取付板３９、４０における互いに対向する箇所にそれぞれ設けられた軸受け孔４２ａ、４２ｂによって、ダンパー部材３６の歯車軸３８の自由端である両端部３８ａをそれぞれ回転可能に支持する構成であるから、簡単な構造で、歯車軸３８の自由端である両端部３８ａを確実に且つ強固に支持することができる。
【００７０】
このため、ダンパー歯車１７にラジアル方向の大きな負荷が加わっても、一対の取付板３９、４０によって歯車軸３８の芯振れを確実に防ぐことができる。これにより、連動歯車１３の歯部１３ａにダンパー歯車１７を確実に且つ良好に噛み合わせて、鍵盤蓋８の開閉動作に伴う連動歯車１３の回転を確実にダンパー歯車１７に伝達させることができると共に、鍵盤蓋８の開閉動作を安定した状態で確実に且つ良好に制動することができる。
【００７１】
なお、上述した実施形態１、２では、鍵盤楽器の鍵盤蓋８に適用した場合について述べたが、必ずしも鍵盤楽器の鍵盤蓋８である必要はなく、例えば音響機器などの各種の電子機器の蓋体にも広く適用することができる。
【符号の説明】
【００７２】
１  楽器ケース
２  側板
３  底板
５  背面板
６  鍵盤部
８  鍵盤蓋
１０、３０、３５  蓋開閉装置
１１  アーム部材
１２  支持軸
１３  連動歯車
１３ａ  連動歯車の歯部
１４、３６  ダンパー部材
１５、３８  歯車軸
１５ａ  歯車軸の自由端である外端部
１５ｂ  歯車軸の内端部
１６、３１、３７  軸支持部材
１７  ダンパー歯車
２０  ガイド溝
３８ａ  歯車軸の両端部
３９、４０  一対の取付板
４２ａ、４２ｂ  軸受け孔
【図１】
2012078713.tif 000003
【図２】
2012078713.tif 000004
【図３】
2012078713.tif 000005
【図４】
2012078713.tif 000006
【図５】
2012078713.tif 000007
【図６】
2012078713.tif 000008
【図７】
2012078713.tif 000009
【図８】
2012078713.tif 000010
【図９】
2012078713.tif 000011
【図１０】
2012078713.tif 000012
【図１１】
2012078713.tif 000013
【図１２】
2012078713.tif 000014
【図１３】
2012078713.tif 000015
【図１４】
2012078713.tif 000016